(57)【要約】【課題】部品数が少なく容易に組み立てられ、使用しやすいノック式ホルダーを提供する。【解決手段】外筒１０と、前記外筒１０内を軸方向に移動可能に挿通され、その内側に棒状物Ｃを保持する内筒２０と、前記外筒１０と前記内筒２０との間に介在され、前記内筒２０を前記外筒１０後端方向へ付勢するスプリング５０と、を備え、前記内筒２０を前記スプリング５０の付勢に抗して押圧することにより、前記内筒２０及び前記棒状物Ｃを前記外筒１０の先端方向に前進させるノック式ホルダーにおいて、前記内筒２０の先端部分は前記棒状物Ｃを挟持するための拡開可能な弾性力を有する係止片２６を先端方向に突出するようにして複数設け、前記外筒１０の先端側内周面は前記係止片２６先端を縮径させる突条部１４と、前記突条部１４より先端側であって、前記内筒２０の押圧時に拡開された前記係止片２６先端を収容可能な拡開部１５とを形成する。【選択図】図２
2013119211.tif 000002
【特許請求の範囲】
【請求項１】
外筒と、前記外筒内を軸方向に移動可能に挿通され、その内側に棒状物を保持する内筒と、前記外筒と前記内筒との間に介在され該内筒を該外筒後端方向へ付勢するスプリングと、を備え、前記内筒を前記スプリングの付勢に抗して押圧することにより前記内筒及び前記棒状物を前記外筒の先端方向に前進させるノック式ホルダーにおいて、
前記内筒の先端部分には前記棒状物を挟持するための拡開可能な弾性力を有する係止片が先端方向に突出するようにして複数設けられ、前記外筒の先端側内周面には該内周面を膨出させた突条部と該突条部より先端側であって該内周面を窪ませた拡開部とが形成され、
前記係止片先端は、常態において前記突条部上に位置して縮径し、前記内筒の押圧時には拡開部に位置して拡径することを特徴とするノック式ホルダー。
【請求項２】
前記係止片先端部の内側に前記棒状物を咬止状態で挟持する咬止部が形成されていることを特徴とする請求項１に記載のノック式ホルダー。
【請求項３】
前記内筒の内側に前記棒状物を保持する押圧部が複数形成されていることを特徴とする請求項１又は請求項２に記載のノック式ホルダー。
【発明の詳細な説明】
【技術分野】
【０００１】
本発明は、軸筒内に棒状の筆記具等を保持し、使用の際にノック操作によって軸筒内から筆記具を繰り出すノック式ホルダーに関するものである。
【背景技術】
【０００２】
従来、チョークを直接持って利用すると、手が汚れてしまったりチョークの粉により手が荒れてしまうため、様々なチョークホルダーが創作されてきた。例えば、特許文献１に示されているように、内筒１と、内筒１に摺動可能に外嵌された外筒２と、内筒１と外筒２との間に介在されると共に内筒１の先端であるコレットチャック部３を締め付ける圧縮ばね４と、内筒１の後端を閉ざすキャップ５と、から構成されているチョークホルダーがある。このチョークホルダーは、ノック操作によって圧縮ばね４によるコレクトチャック部３への締付力を解除させることで、チョークの抜き差しを可能としている。
【０００３】
また、特許文献２には、同様にノック操作により消しゴムを繰り出す消しゴムホルダーが示されている。この消しゴムホルダーは、いわゆるチャック機構を用いたもので、通常時、チャック体５が締め具（チャックリング）８に締め付けられ、締め付けられたチャック体５が消しゴム４を挟持している。そして、消しゴム４を繰り出すためにノックカバー２０の後端をノックすると、それに連動してチャック体５及び締め具８が一体となって前進し、チャック体５に挟持されている消しゴム４も繰り出される。消しゴム４が所定量繰り出されると、チャック体５は締め具８から開放されて前進し、チャック体５の先端が拡開されることで消しゴム４はチャック体５の挟持から解放される。そして、ノックカバー２０のノックを解除すると、チャック体５は後退して再び締め具８に締め付けられて消しゴム４を挟持する。このようにして、ノックカバー２０のノック操作によってホルダーの先端から消しゴムが繰り出される。
【先行技術文献】
【特許文献】
【０００４】
【特許文献１】実開平３−７７６９１号公報
【特許文献２】実開平５−４９３９４号公報
【発明の概要】
【発明が解決しようとする課題】
【０００５】
しかしながら、特許文献２のようなチャック機構は複雑な形状であり、部品数も多い。そのため、外筒の直径が太くなり、チョークの直径の倍程の太さとなってしまい、文字を書く際に握りづらく書きづらい物となってしまう。一方、特許文献１のチョークホルダーは、外筒の直径も太くならない単純な構造であるが、チョークの抜き差し操作はノックしている時にのみ可能であり、ノックした状態を保ったままチョークを出し入れする必要があるため、微調整が難しく操作が煩わしい。また、ノックした状態ではチョークはどこにも挟持されていない状態となり、落ちてしまうおそれもある。
【０００６】
また、特許文献１のチョークホルダー及び特許文献２の消しゴムホルダーは、チョークあるいは消しゴムを挟持するのは先端部分のみであり、使用中にがたついてしまうだけでなく、持ち運び時の衝撃などによって、ホルダー内でチョークが割れてしまう可能性が高い。
【０００７】
そこで、本発明は、上記した従来の問題点を解決すべく、少ない部品数であっても棒状物を適切に繰り出すことができると共に、使用の際にがたつかない利用しやすいノック式ホルダーを提供することを目的としている。
【課題を解決するための手段】
【０００８】
かかる目的を達成するため本発明に係るノック式ホルダーは、外筒と、前記外筒内を軸方向に移動可能に挿通され、その内側に棒状物を保持する内筒と、前記外筒と前記内筒との間に介在され該内筒を該外筒後端方向へ付勢するスプリングと、を備え、前記内筒を前記スプリングの付勢に抗して押圧することにより前記内筒及び前記棒状物を前記外筒の先端方向に前進させるノック式ホルダーにおいて、前記内筒の先端部分には前記棒状物を挟持するための拡開可能な弾性力を有する係止片が先端方向に突出するようにして複数設けられ、前記外筒の先端側内周面には該内周面を膨出させた突条部と該突条部より先端側であって該内周面を窪ませた拡開部とが形成され、前記係止片先端は、常態において前記突条部上に位置して縮径し、前記内筒の押圧時には拡開部に位置して拡径することを特徴としている。
【０００９】
また、本発明に係るノック式ホルダーは、前記係止片先端部の内側に前記棒状物を咬止状態で挟持する咬止部が形成されていることを特徴としている。なお、ここにいう「咬止」とは、棒状物を咬んだ状態で止めて滑らないようにしたことを意味し、例えば、突起状にして棒状物に食い込ませたり、凹凸面のような荒い面を形成して棒状物を滑らないようにすることが該当する。
【００１０】
さらに、本発明に係るノック式ホルダーは、前記内筒の内側に前記棒状物を保持する押圧部が複数形成されていることを特徴としている。
【発明の効果】
【００１１】
本発明に係るノック式ホルダーは、内筒の先端部分に棒状物を挟持するための拡開可能な弾性力を有する係止片が先端方向に突出するようにして複数設けられ、外筒の先端側には、内周面を膨出させた突条部と、突条部より先端側に内周面を窪ませた拡開部とが形成されている。すなわち、ノック操作を繰り返すことで、内筒の係止片先端部分は外筒内の突条部と拡開部を往復して係止片先端の径を拡径及び縮径し、チョークの挟持および解放を実現している。つまり、チョークの繰り出しは外筒と内筒で可能となり、本発明のホルダーは組立が容易になると共に、部品数も少ないことでホルダー自体が太くならず握りやすくなるため、利用しやすいものとなる。また、係止片先端の棒状物と当接する部分には、棒状物を咬止状態で挟持するための咬止部が形成されていることから、確実にチョークを挟持して繰り出すことが可能である。
【００１２】
また、本発明に係るノック式ホルダーの内筒内には、棒状物を保持する押圧部が周方向に等間隔で形成されている。そのため、複数の押圧部によってチョークは挟持されることになり、チョークを挿入した状態で持ち運びする際や多少の衝撃でもチョークは割れにくい。また、内筒の押圧状態においてチョークが咬止部から解放されても、チョークは押圧部によって常時保持されているので、チョークが落ちることはない。さらに、使用中は、押圧部に加えて咬止部によって強固に挟持されるため、強く黒板に押しつけて使用しても、がたつくことがなく、使い勝手の良いものとすることができる。
【図面の簡単な説明】
【００１３】
【図１】本発明に係るノック式ホルダーの全体斜視図。
【図２】本発明に係るノック式ホルダーの長手方向断面図（通常状態）。
【図３】本発明に係るノック式ホルダーの長手方向断面図（ノックした状態）。
【図４】図２の断面図。
【図５】内筒の斜視図。
【発明を実施するための形態】
【００１４】
以下、本発明に係るノック式ホルダーを図面に基づいて具体的に説明する。なお、この実施形態においては、ノック式ホルダーに挿入する棒状物の例をチョークＣとして記載するが、これに限定されるものではなく、消しゴムやクレヨンなどについても同様に利用できる。図１は本実施形態のノック式ホルダー１の全体斜視図、図２はその長手方向の断面図である。ノック式ホルダー１は、使用者が把持する外筒１０と、外筒１０内を軸方向に移動可能に挿通される内筒２０と、内筒２０の後端に接続されるノック体３０と、内筒２０の外周部分に周設されるようにして外筒１０と内筒２０との間に介在されるスプリング５０と、外筒１０の後端に設けられるカバー体４０と、から概略構成されている。
【００１５】
前記外筒１０は、両端が開放され、チョークＣをその内部に保持できる長さを有する筒体で、長筒円柱形状の本体部１１と、その先端に螺合される頭部１２とからなり、本体部１１の先端側内周面にはネジ溝１１ａが形成され、後端側外周面にはネジ溝１１ｂが形成されている。また、頭部１２は、その中央部分が本体部１１の外径と同径の外観視円柱形状になっていると共に、その先端部分が先に行くにしたがって窄まる外観視円錐台形状になっていて、先端部分の頂部にはチョークＣが突出し得る開口部１３が開設されている。また、頭部１２の後端部分は、中央部分よりも若干細径になっていて、その外周面に本体部１１のネジ溝１１ａに螺合するネジ溝１２ａが形成されている。他方、頭部１２の内周面には、頭部１２の中央部分と頭部１２の細径になっている後端部分とを跨ぐように、該内周面を軸心方向に膨出させて内径を狭くした突条部１４が環状に形成されていると共に、該突状部１４の先端寄りで隣接するように該内周面を窪ませて内径を広くした拡開部１５が環状に形成されている。また、頭部１２内周面であって、拡開部１５から先端側に所定間隔はなれた位置には、断面半円型の溝部１６が環状に形成されており、この溝部１６には、コイルバネをリング状に加工し、その内径がチョークＣの外径と略同等に設定されている棒状物固定バネ１７が装着されている。なお、本体部１１と頭部１２とを螺合すると、頭部１２の後端部分は、本体部１１よりも細径になっているため、頭部１２の後端面が本体部１１の内側に位置することになるが、この後端面は、スプリング５０を当接させるスプリング受け部１８として機能することになる。
【００１６】
前記内筒２０は、図５の斜視図に示すとおり、両端が開放され外径が外筒１０の内径よりも小さく、長さが外筒１０の本体部１１よりも若干短い長筒円柱形状の胴体部２２と、該胴体部２２の一端から突出するように形成され、その先端が拡開可能な弾性力を有する係止片２６とから構成されており、該係止片２６は、等間隔で３つ設けられている。また、胴体部２２には、その先端側と後端側のそれぞれの周方向に３等分した位置に、軸方向に平行な２本の細幅の切込み２３，２３を設け、その切り込み２３，２３を内側へ弧状に起こして形成した押圧部２４が計６箇所設けられている。さらに、係止片２６の先端よりの内側には、咬止部としての爪部２８が形成されている。この爪部２８は、係止片２６に頂点が該係止片２６の先端方向を向いている矢尻状の切り込みを設け、該切り込みを内側へ斜めに起こして形成されている。
【００１７】
前記ノック体３０は、一方が閉塞され他方が開放された短筒体であって、内径が内筒２０の外径と略同径であると共に、外径が外筒１０の本体部１１の内径よりも若干小さく設定されている。また、ノック体３０の開放側内周面には、内筒２０の後端を受け止める内側凸部３２が環状に周設されており、ノック体３０の外周面中央には、ノック体の抜けを防止するための外側凸部３３が周設されている。そして、ノック体３０の内側に、内筒２０の後端部が嵌挿されていて、ノック体３０の内周面と内筒２０の外周面の接触部分を接着することによって、ノック体３０と内筒２０とが一体化されている。なお、ノック体３０の開放側端面は、外筒１０と内筒２０の間に位置して、スプリング５０を当接させるスプリング受け部３１として機能することになる。すなわち、外筒１０と内筒２０の間にできた空間にスプリング５０を介在させているが、スプリング５０の一端側を前述した外筒１０のスプリング受け部１８に当接させると共に、スプリング５０の他端側をノック体３０のスプリング受け部３１に当接させることで、ノック体３０及びこれと一体化されている内筒２０が常に後方へ付勢されるようになっている。
【００１８】
前記カバー体４０は、両端が開放された短筒体で、その先端側内周面にネジ溝４０ａが形成されていて、このネジ溝４０ａを外筒１０後端部のネジ溝１１ｂに螺合することで、外筒１０と該外筒１０の後端から突出しているノック体３０を覆うようになっている。また、カバー体４０の後端には、内向き鍔状のノック体受け部４１が環状に形成されている。そして、カバー体４０の内周面のうち、ネジ溝４０ａが形成されていない後端部分とノック体３０の間にできた空間に、前述したノック体３０の外側凸部３３が収容されていて、該空間内をノック体３０の外側凸部３３が移動できるようになっていると共に、ノック体受け部４１がノック体３０の外側凸部３３を受け止めてノック体３０の抜けを防止するストッパとなっている。
【００１９】
次に上記のように構成された本実施形態に係るチョークホルダー１の使用方法について図２乃至図４を参照しつつ説明する。チョークホルダー１が、ノックされていない通常状態において、ノック体３０及び内筒２０は、スプリング５０によって後方へ付勢されている。このとき、内筒２０の係止片２６の先端部分は、外筒１０の頭部１２の内周面に形成されている突条部１４上に位置することで縮径し、チョークＣを挟持していると共に、該係止片２６の内側に設けられている爪部２８がチョークＣに食い込んで、チョークＣの先端部分を強固に固定している（図４（Ａ））。また、チョークＣは、外筒２０の頭部１２に設けられた棒状物固定バネ１７、及び内筒２０の内側に形成されている押圧部２４によっても保持されている（図４（Ｂ））。
【００２０】
そして、チョークホルダー１からチョークＣを繰り出す場合、まず、チョークホルダー１の外筒１０を握り、ノック体３０の後端を押圧する。これによって、ノック体３０が先端側へ移動すると共に、該ノック体３０と一体化している内筒２０も先端側へと移動する。このとき、チョークＣは、内筒２０の押圧部２４によって中心方向に押圧されて保持されていると共に、係止片２６及びその爪部２８によって確実に挟持されているので、内筒２０と一緒に前進する。そして、ノック体３０及び内筒２０の前進は、ノック体３０の外側凸部３３が外筒１０の本体部１１後端に受け止められて止まり、それと同時に、内筒２０の係止片２６先端が拡開部１５の先端縁に当たって止まる（図３）。このとき、突状部１２ｄ上に位置し縮径していた係止片２６の先端部分は、拡開部１５へと移動することで拡開し、爪部２８が拡開部１５内に位置することになる。そのため、チョークＣは、爪部２８の食い込みから解放された状態となり、チョークＣの前進も止まる。
【００２１】
次に、ノック状態を解除すると、スプリング５０の付勢により、ノック体３０及び内筒２０が後退する。すなわち、スプリング５０によってノック体３０が後方へ押し戻され、これと一体となっている内筒２０も後退する。このとき、係止片２６の爪部２８は、その先端が前方に向けてあるため、内筒２０が後退する際にチョークＣに食い込むことはなく、チョークＣの外周面を擦りながら後退する。そして、ノック体３０の外側凸部３３がカバー体４０のノック体受け部４１に受け止められることで、ノック体３０及び内筒２０の後退が止まる（図２）。このとき、係止片２６の先端は、再び外筒１０の頭部１２内周面に形成されている突条部１４上に位置して縮径し、係止片２６の爪部２８がチョークＣの先端部分を再び挟持することになる。このように、チョークホルダー１のノック体３０の押圧・解除の操作を繰り返すことによって、チョークＣはチョークホルダー１の先端から順次繰り出されることになる。
【００２２】
他方、チョークホルダー１の使用後に、チョークホルダー１内にチョークＣを収納する場合には、ノック体３０を押圧し、係止片２６の爪部２８を拡開部１５内に位置させた状態（図３）で、チョークＣをノック式ホルダー１内へと押し込めばよい。また、チョークホルダー１に新たにチョークＣをセットする際も、同様にノック体３０を押圧し、係止片２６の爪部２８を拡開部１５内に位置させた状態（図３）で、チョークＣをノック式ホルダー１先端の開口部１３から挿入すればよい。
【００２３】
以上のとおり、本実施形態に係るチョークホルダー１によれば、ノック操作によって、内筒２０の係止片２６が外筒１０内の突条部１４と拡開部１５を往復し、係止片２６先端を拡径及び縮径させることができるので、従来のチャック機構のような複雑な構造を設けなくても、チョークＣを順次繰り出すことができる。しかも、部品数が少なくてすむことから、チョークホルダー１自体が太くならず、握りやすいものとなる。
【００２４】
また、チョークホルダー１の内筒２０内に、チョークＣを挟持する押圧部２４が複数形成されているため、チョークＣはこれら複数の押圧部２４によっても挟持されることなる。従って、チョークホルダー１にチョークＣを挿入したまま持ち運ぶ場合、あるいはチョークホルダー１が何らかの衝撃を受けても、チョークＣは割れにくい。また、チョークホルダー１のノック体３０を押圧し、チョークＣが係止片２６の咬止部２８から解放されている状態でも、チョークＣは、内筒２０の内側に形成された押圧部２４及び外筒１０の先端内周面に設けられた棒状物固定バネ１７によって常時保持されているので、チョークＣがチョークホルダー１から落ちてしまうこともない。さらに、チョークホルダー１の使用中は、押圧部２４及び棒状物固定バネ１７に加え、係止片２６の咬止部２８によって強固に挟持されているため、強く黒板に押しつけて使用しても、チョークＣがチョークホルダー１内でがたついてしまうこともない。
【００２５】
なお、本実施形態に係るチョークホルダー１は、その外筒１０が、本体部１１と頭部１２を螺合して形成されている例を示したが、本体部１１と頭部１２を接着して一体化してもよく、また、本体部１１と頭部１２を別々に形成することなく一体成形してもよい。
また、本実施形態に係るチョークホルダー１は、内筒２０とノック体３０を別々に成形した例を示したが、内筒２０とノック体３０を一体成形してもよい。さらに、内筒２０の押圧部２４及び係止片２６は、それぞれ周方向に複数（少なくとも２つ）設けられていれば足り、必ずしも３つに限定されるものではない。また、内筒２０の押圧部２４は、内筒の周壁を内側へ切り起こして形成した例を示したが、これに限られず、例えば、ゴムなどの弾性部材を別途設けて形成してもよい。
また、本実施形態では、係止片２６の内側に設けた咬止部２８の例として、係止片２６に矢尻状の切り込みを設け、該切り込みを内側へ斜めに起こした爪部２８を示したが、必ずしも切り起こして形成する必要はなく、例えば、先端の尖った別部材を係止片の内側に接着してもよい。さらに、咬止部２８は、必ずしも先端を尖らせる必要はなく、例えば、係止片２６の内側に複数の凹凸を設けるなどしてもよい。
【符号の説明】
【００２６】
１        ノック式ホルダー
１０      外筒
１４      突条部
１５      拡開部
２０      内筒
２４      押圧部
２６      係止片
２８      爪部（咬止部）
３０      ノック体
５０      スプリング
Ｃ        チョーク
【図１】
2013119211.tif 000003
【図２】
2013119211.tif 000004
【図３】
2013119211.tif 000005
【図４】
2013119211.tif 000006
【図５】
2013119211.tif 000007